(57)【要約】【課題】目的地点までの移動時間が最短のルートを提示する。【解決手段】ナビゲーション装置１は、電動車両２から得た目的地点（Ｓ３）に至る各ルートについて、ルートの充電施設までの移動時間、充電施設への到着時刻における充電待ち時間、充電時間および充電施設から目的地点まで移動時間を含むルート移動時間を算出する（Ｓ２１）。次に、算出された複数のルートから、最短のルート移動時間に対応するルートを選択し（Ｓ２３）、選択したルートを電動車両２に提示する（Ｓ３１）。【選択図】図５
2017009476.tif 000002
【特許請求の範囲】
【請求項１】
電動車両が目的地点に到着するまでに充電が必要か否かを判定する充電要否判定部と、
充電が必要と判定された場合に、前記電動車両の電力量で到着できる範囲にある充電施設を検索し、検索された複数の充電施設のそれぞれについて、当該充電施設を経由して前記目的地点に至るルートを算出するルート算出部と、
前記各ルートについて、当該ルートの充電施設への到着時刻を算出する到着時刻算出部と、
前記各充電施設について、算出した到着時刻における充電待ち時間を取得する充電待ち時間取得部と、
前記各ルートについて、前記現在地点から当該ルートの充電施設までの移動時間、取得した充電待ち時間、充電時間および充電施設から前記目的地点まで移動時間を含むルート移動時間を算出するルート移動時間算出部と、
前記複数のルートから、最短の前記ルート移動時間に対応するルートを選択し、前記電動車両に提示するルート選択部と
を備えることを特徴とするナビゲーション装置。
【請求項２】
前記ルート選択部は、最短のルート移動時間に対応するルートが複数ある場合に、前記現在地点から充電施設までに停車する時間と充電施設から前記目的地点までに停車する時間の合計である停車時間が最短のルートを選択する
ことを特徴とする請求項１記載のナビゲーション装置。
【請求項３】
前記停車時間を、前記電動車両の運転者の運転行動履歴を用いて算出する
ことを特徴とする請求項２記載のナビゲーション装置。
【請求項４】
前記運転行動履歴は、走行した道路の種別と当該道路での加減速のパターンを含み、
前記停車時間を、算出されたルートと道路の種別が類似する運転行動履歴における加減速のパターンを用いて算出する
ことを特徴とする請求項３記載のナビゲーション装置。
【請求項５】
前記運転行動履歴は、走行した道路の車線数と当該道路での加減速のパターンを含み、
前記停車時間を、算出されたルートと車線数が類似する運転行動履歴における加減速のパターンを用いて算出する
ことを特徴とする請求項３記載のナビゲーション装置。
【請求項６】
前記停車時間を、算出されたルートの交通情報を用いて算出する
ことを特徴とする請求項２記載のナビゲーション装置。
【請求項７】
前記停車時間を、算出されたルートにおける信号待ちの回数に応じて算出する
ことを特徴とする請求項２記載のナビゲーション装置。
【請求項８】
電動車両が目的地点に到着するまでに充電が必要か否かを判定し、
充電が必要と判定された場合に、前記電動車両の電力量で到着できる範囲にある充電施設を検索し、検索された複数の充電施設のそれぞれについて、当該充電施設を経由して前記目的地点に至るルートを算出し、
前記各ルートについて、当該ルートの充電施設への到着時刻を算出し、
前記各充電施設について、算出した到着時刻における充電待ち時間を取得し、
前記各ルートについて、前記現在地点から当該ルートの充電施設までの移動時間、取得した充電待ち時間、充電時間および充電施設から前記目的地点まで移動時間を含むルート移動時間を算出し、
前記複数のルートから、最短の前記ルート移動時間に対応するルートを選択し、前記電動車両に提示する
ことを特徴とするナビゲーション方法。
【発明の詳細な説明】
【技術分野】
【０００１】
本発明は、ナビゲーション装置及びナビゲーション方法に関する。
【背景技術】
【０００２】
電動車両のナビゲーションにおいては、例えば、現在の電力量で到着できる範囲にある充電施設を検索し、充電施設を経て目的地点に至るルートを算出する。そして、複数のルートがある場合は、充電施設における充電待ち時間を含めて、ルートの移動時間を算出し、移動時間が最短のルートを提示する。
【先行技術文献】
【特許文献】
【０００３】
【特許文献１】特開２０１３−１６７４６０号公報
【発明の概要】
【発明が解決しようとする課題】
【０００４】
しかし、充電待ち時間は一定ではなく、移動時間を算出したときの充電待ち時間よりも、充電施設への到着時刻での充電待ち時間の方が長くなってしまう場合がある。そのため、最短の移動時間で目的地点に到着できない可能性がある。
【０００５】
本発明は、上記課題に鑑みてなされたものであり、目的地点までの移動時間が最短のルートを提示できるナビゲーション装置及びナビゲーション方法を提供することを目的とする。
【課題を解決するための手段】
【０００６】
本発明の一態様に係わるナビゲーション装置は、電動車両が目的地点に到着するまでに充電が必要な場合には、電動車両の電力量で到着できる範囲にある充電施設を検索し、各充電施設について、充電施設を経由して目的地点に至るルートを算出する。そして、各ルートについて、充電施設への到着時刻を算出し、到着時刻における充電待ち時間を取得する。そして、各ルートについて、現在地点から充電施設までの移動時間、取得した充電待ち時間、充電時間および充電施設から目的地点まで移動時間を含むルート移動時間を算出する。そして、最短のルート移動時間に対応するルートを選択し、電動車両に提示する。
【発明の効果】
【０００７】
本発明によれば、充電施設への到着時刻での充電待ち時間をルート移動時間に含めるので、ルート移動時間がより正確になり、目的地点までの移動時間が最短のルートを提示できる。
【図面の簡単な説明】
【０００８】
【図１】図１は、本発明の実施の形態に係わるナビゲーション装置が電動車両に提示するルートの一例を示す図である。
【図２】図２は、図１に示すナビゲーション装置の機能ブロック図である。
【図３】図３は、図２に示す運転行動履歴ＤＢの構成の一例を示す図である。
【図４】図４は、図２に示す充電施設ＤＢの構成の一例を示す図である。
【図５】図５は、本実施の形態に係わるナビゲーション方法の一例を示すシーケンス図である。
【発明を実施するための形態】
【０００９】
以下、実施の形態を図面に基づいて説明する。同一部材には同一符号を付して再度の説明を省略する。
【００１０】
図１において、ナビゲーション装置１は、電動車両２と通信可能であり、目的地点３までのルートを電動車両２に提示し、電動車両２が目的地点３に到着できるようにするものである。ナビゲーション装置１は、電動車両２が現在の電力量で目的地点３に到着できない場合は、到着できる範囲にある充電施設Ａ〜Ｄを検索し、各充電施設について、充電施設を経て目的地点４に至るルートを算出する。そして、ナビゲーション装置１は、各ルートの移動時間を算出し、移動時間が最短のルートを電動車両２に提示する。
【００１１】
図２に示すように、ナビゲーション装置１は、地図データベース（以下、データベースをＤＢと略記する）１０、運転行動履歴ＤＢ１１、交通情報記憶部１２、充電施設ＤＢ１３、充電要否判定部１４、ルート算出部１５、到着時刻算出部１６、充電待ち時間取得部１７、ルート移動時間算出部１８及びルート選択部１９を備える。
【００１２】
地図ＤＢ１０は、道路、住宅、施設（充電施設を含む）などの位置情報を記憶している。運転行動履歴ＤＢ１１は、運転者ごとの運転行動履歴を記憶している。交通情報記憶部１２は、現在の道路の交通量および交通量の予測値などを示す交通情報を記憶し、例えば、道路を走行する各車両から通信により得た最新の情報に常時更新している。充電施設ＤＢ１３は、充電施設ごとの情報を記憶している。
【００１３】
図３に示す運転行動履歴ＤＢ１１は、例えば、電動車両を家族などで共用する場合を想定したものである。運転行動履歴ＤＢ１１は、運転者ごとのレコードを有し、レコードは、運転者の家族などで共用する電動車両を示す車両ＩＤ、運転者ＩＤおよび運転者の運転行動履歴を含む。運転行動履歴は、運転回ごとの情報を含み、例えば、走行したルートの位置、道路の種別、車線数及び、加減速のパターンを含む。
【００１４】
図４に示すように、充電施設ＤＢ１３は、充電施設ごとのレコードを有する。レコードは、充電施設に設けられた充電器が普通充電器か急速充電器かを示す充電タイプおよび時間帯ごとの充電待ち時間を含む。例えば、充電待ち時間は、平日と土日祭日とで分けられ、それぞれ６時間ごとに分けて記憶される。
【００１５】
図２に戻り、充電要否判定部１４は、電動車両２が目的地点３に到着するまでに充電が必要か否かを判定するものである。ルート算出部１５は、充電が必要と判定された場合に、電動車両２の電力量で到着できる範囲にある充電施設を検索し、充電施設を経由して目的地点３に至るルートを算出するものである。到着時刻算出部１６は、複数のルートが算出された場合、各ルートについて、ルートの充電施設への到着時刻を算出するものである。
【００１６】
充電待ち時間取得部１７は、各充電施設について、算出した到着時刻における充電待ち時間を充電施設ＤＢ１３から取得するものである。ルート移動時間算出部１８は、各ルートについて、ルートを電動車両が移動する移動時間（ルート移動時間という）を算出するものである。ルート選択部１９は、これらのルートの１つを選択し、電動車両２に提示するものである。
【００１７】
図５に示すように、電動車両２に目的地点が入力されたなら（Ｓ１）、電動車両２は、予め記憶した車両ＩＤ、運転者ＩＤ、入力された目的地点の位置情報、現在地点の位置情報及び現在の電力量をナビゲーション装置１に送信し、これらをナビゲーション装置１が受信する（Ｓ３）。
【００１８】
ナビゲーション装置１の充電要否判定部１４は、地図ＤＢ１０を参照し、電動車両２が現在地点から現在の電力量で目的地点に到着できるか否か、つまり充電が必要か否かを判定する（Ｓ１１）。ここで、充電要否判定部１４は、電力量を航続距離に換算し、航続距離の範囲内に目的地点があるなら充電が不要、一方ないなら充電が必要と判定する。充電が不要なら、目的地点に至る例えば最短のルートを算出し、ルートを電動車両２に提示するのだが、これについては図示省略する。
【００１９】
一方、充電が必要と判定された場合においては、ルート算出部１５が、地図ＤＢ１０を参照し、現在地点から電動車両２の電力量で到着できる範囲にある充電施設を検索する（Ｓ１３）。ここで、充電施設が１つなら、その充電施設を経て目的地点に至るルートを算出し、ルートを電動車両２に提示するのだが、これについては図示省略する。
【００２０】
ルート算出部１５は、到着できる範囲に複数の充電施設がある場合は、各充電施設について、現在地点から充電施設を経由して目的地点に至るルートを算出する（Ｓ１５）。
【００２１】
次に、到着時刻算出部１６が、各ルートについて、ルートの充電施設への到着時刻を算出する（Ｓ１７）。ここで到着時刻算出部１６は、電動車両の現在地点から充電施設までの移動時間を算出し、現在時刻から移動時間が経過した時刻を到着時刻とする。
【００２２】
到着時刻算出部１６は、充電施設までの移動時間の算出に当たり、例えば、運転行動履歴ＤＢ１１から、受信した車両ＩＤと運転者ＩＤを含むレコードの運転行動履歴を読み出し、また、地図ＤＢ１０を参照し、充電施設までの走行距離、信号機数などを得る。また、到着時刻算出部１６は、交通情報ＤＢ１３から交通情報およびその予測値を読み出す。そして、到着時刻算出部１６は、運転行動履歴、走行距離、信号機数、交通情報等に基づいて、電動車両の現在地点から充電施設までの移動時間を算出する。
【００２３】
到着時刻算出部１６は、電動車両が充電施設までに停車する時間の合計（充電施設までの停車時間という）を算出し、これを移動時間に含める。到着時刻算出部１６は、例えば、運転行動履歴を用いて充電施設までの停車時間を算出する。
【００２４】
到着時刻算出部１６は、充電施設までの道路の種別と車線数（一方でもよい）が、運転行動履歴における道路の種別と車線数（一方でもよい）と類似している場合は、運転行動履歴の道路は、充電施設までの道路と同等と見なす。この場合、到着時刻算出部１６は、運転行動履歴から加減速のパターンを読み出し、パターンに基づき、充電施設までの停車時間を算出（予測）する。到着時刻算出部１６は、例えば、パターンに基づいて、一定距離ごとの加減速の回数（停車率）を算出し、停車率と充電施設までの距離の積が大きいほど充電施設までの停車時間を長くする。
【００２５】
このように、停車時間を、運転者の運転行動履歴を用いて算出することで、仮に交通情報のようなリアルタイムの情報がない場合でも、充電施設までの停車時間、移動時間及び、到着時刻を算出できる。
【００２６】
また、上記のように、停車時間を、ルートと道路の種別や車線数が類似する運転行動履歴における加減速のパターンを用いて算出（予測）することで、充電施設までの信号の位置や数が不明である場合でも停車時間、移動時間及び、到着時刻を算出できる。
【００２７】
到着時刻算出部１６は、充電施設までの停車時間を、例えば、ルートの交通情報（現在の交通情報や交通情報の予測値）を用いて、または、運転行動履歴も用いて算出する。到着時刻算出部１６は、ルートの交通量や交通量の予測値が高いほど充電施設までの停車時間を長くする。また、ルートでの信号待ちが少ないほど充電施設までの停車時間を短くする。このように、交通情報を用いることで、実際の停車時間に近い停車時間を算出（予測）することができる。
【００２８】
また、ルートでの信号待ちの回数に応じて停車時間を算出することで、実際の停車時間に近い停車時間を算出（予測）することができる。
【００２９】
次に、充電待ち時間取得部１７が、各充電施設について、算出した到着時刻における充電待ち時間を充電施設ＤＢ１３から取得する（Ｓ１９）。例えば、図４に示す例では、充電施設Ａへの到着時刻が平日の１３時の場合、充電待ち時間は２５［分］である。
【００３０】
次に、ルート移動時間算出部１８が、各ルートについて、電動車両２の現在地点からルートの充電施設までの移動時間、取得した充電待ち時間、充電時間および充電施設から目的地点まで移動時間を含むルート移動時間を算出する（Ｓ２１）。
このように、現在の充電待ち時間でなく、充電施設への到着時刻での充電待ち時間をルート移動時間に含めるので、正確なルート移動時間を算出できる。
【００３１】
ルート移動時間に含める、現在地点から充電施設までの移動時間は、現在時刻とステップＳ１７で算出した到着時刻の差である。
【００３２】
ステップＳ２１で充電時間の算出に当たり、ルート移動時間算出部１８は、例えば、車両ＩＤに基づいて、電動車両２の車種を特定し、また、充電施設ＤＢ１３を参照し、充電器のタイプを認識する。また、ルート移動時間算出部１８は、地図ＤＢ１０を参照して、充電施設までの走行距離を算出し、運転行動履歴ＤＢ１１から、運転者の運転行動履歴を取得する。そして、ルート移動時間算出部１８は、車種、現在の電力量、充電施設までの走行距離、運転者の運転行動履歴及び、充電器のタイプに基づいて、充電時間を算出する。
【００３３】
例えば、電力量が多い車種の場合、現在の充電量が少ない場合、走行距離が長い場合などは、充電時間は長くなる。また、加減速が頻繁な場合、電力を多く消費するので、充電時間は長くなる。また、普通充電器の場合、急速充電器で充電する場合より、充電時間は長くなる。
【００３４】
また、ステップＳ２１でルート移動時間算出部１８は、充電施設から目的地点までの移動時間を、ステップＳ１７で到着時刻算出部１６が電動車両の現在地点から充電施設までの移動時間を算出した方法と同様の方法で算出する。移動時間には、充電施設から目的地点の間に電動車両が停止する時間の合計（充電施設から目的地点までの停車時間）が含まれる。
【００３５】
すなわち、停車時間を、運転者の運転行動履歴を用いて算出することで、仮に交通情報のようなリアルタイムの情報がない場合であっても、充電施設から目的地点までの停車時間及び、移動時間を算出できる。
【００３６】
また、停車時間を、ルートと道路の種別や車線数が類似する運転行動履歴における加減速のパターンを用いて算出（予測）することで、目的地点までの信号の位置や数が不明である場合でも停車時間及び、移動時間を算出できる。
【００３７】
また、停車時間を交通情報やルートでの信号待ちの回数に応じて算出することで、実際の停車時間に近い停車時間を算出（予測）することができる。
【００３８】
次に、ルート選択部１９が、算出された複数のルートから、最短のルート移動時間に対応するルートを選択し（Ｓ２３）、選択したルートを電動車両２に提示する（Ｓ３１）。例えば、電動車両２に設けられた画面にルートおよびルートの充電施設が表示される。これにより、電動車両２は充電施設まで走行し、充電施設で充電を行い、目的地点３に到着することができる。
【００３９】
以上のように、ナビゲーション装置１によれば、充電施設への到着時刻での充電待ち時間をルート移動時間に含めるので、ルート移動時間がより正確になり、目的地点までの移動時間が最短のルートを提示できる。
【００４０】
（他の実施形態）
ルート選択部１９は、ステップＳ２３において、最短のルート移動時間に対応するルートが複数ある場合、現在地点から充電施設までの停車時間と充電施設から目的地点までの停車時間の合計が最短のルートを選択する。合計の停車時間は、充電待ち時間を含まない。
【００４１】
ルート移動時間は厳密なものでなくてよく、例えば、差が所定の時間以内であれば、ルート移動時間は同じとみなしてもよい。こうすると、最短のルート移動時間に対応するルート数が複数となる場合があるので、ルート選択部１９は、これら複数のルートから、合計の停車時間が最短のルートを選択する。
【００４２】
電動車両は、ルートの移動中に信号待ちで停車するが、１回当たりの停車時間はどのルートでもさほど変わらない。しかし、信号数や、渋滞などによりほぼ信号待ちになると予想される信号数はルートにより異なり、合計の停車時間が短いルートほど停止、発進が少ないことになる。電動車両では、走行距離が同じでも停止、発進が少ないほど電力量の消費が少ない。よって、合計の停車時間が最短のルートを選択することで、電力量の消費が最も少ないルートを提示し、電力量の消費を最も少なくできる。
【００４３】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００４４】
１  ナビゲーション装置
２  電動車両
３  目的地点
１０  地図ＤＢ
１１  運転行動履歴ＤＢ
１２  交通情報記憶部
１３  充電施設ＤＢ
１４  充電要否判定部
１５  ルート算出部
１６  到着時刻算出部
１７  充電待ち時間取得部
１８  ルート移動時間算出部
１９  ルート選択部
Ａ〜Ｄ  充電施設
【図１】
2017009476.tif 000003
【図２】
2017009476.tif 000004
【図３】
2017009476.tif 000005
【図４】
2017009476.tif 000006
【図５】
2017009476.tif 000007